(57)【要約】【課題】本発明は、簡単な構造で排熱効率を上昇させる機器収納用ラックの給排気方法を提供することを目的としている。【解決手段】本発明に係る機器収納用ラック１の給排気方法は、機器３の排気面を機器収納用ラック１の内側に向け配列すると共に、機器を装着するためのマウントアングル２に、機器３の給気口側と排気口側とを隔絶する機能を搭載して、機器の背面から排出された暖気が、再び機器の前面から給気されないようにして効率よく給排気を行うことを特徴とする。【選択図】図１
2009176910.tif 000002
【特許請求の範囲】
【請求項１】
給気口と排気口とがそれぞれ前面と背面とに設けられた機器を、前後二列に配列可能とした機器収納用ラックの給排気方法であって、前記機器の排気面を内側に向け配列すると共に、前記機器を装着するためのマウントアングルに、前記機器の給気口側と排気口側とを隔絶する機能を搭載して給排気を行うことを特徴とする機器収納用ラックの給排気方法。
【請求項２】
前記機器の給気口側と排気口側とを隔絶する機能が、前記マウントアングルの端部を折曲延設して隔絶部を形成することである請求項１に記載の機器収納用ラックの給排気方法。
【発明の詳細な説明】
【技術分野】
【０００１】
本発明は、給気口と排気口とがそれぞれ前面と背面とに設けられた機器を、前後二列に配列可能とした機器収納用ラックの給排気方法に関するものである。
【背景技術】
【０００２】
電子・電気機器２１はキャビネット２２に設けられたマウントアングル２３に取り付けられる。マウントアングル２３は図５に示すように、機器取り付け部２３ａに機器を固定する。このようなマウントアングル２３を介してキャビネット２２に機器２１が収納された場合、キャビネット２２の給排気は、図４に示すように、電子・電気機器２１は冷気Ｃを取り込む。冷気Ｃは機器２１の背面から暖気Ｄとして排出される。また、機器から排出される暖気をキャビネット外部へ排出するため、キャビネットの側面板にスリットを設けたりパンチングメタルを用いたりして、キャビネット内の温度上昇を抑制していた。また、キャビネットに換気扇を取り付けたりして、強制的に換気を促す方法もある。
【特許文献１】特開２００１−３５８４８４号公報
【発明の開示】
【発明が解決しようとする課題】
【０００３】
しかし、上記方法では、図４に示すように、キャビネット２２の外側から給気した冷気Ｃが、キャビネット２２の内部で機器２１から排出された暖気Ｄと混ざり合い、排熱効率が悪かった。換気扇により強制換気を行うも、キャビネットの内部では機器から排出された暖気と混ざり合い、排熱効率が悪かった。
【課題を解決するための手段】
【０００４】
そこで本発明は、簡単な構造で排熱効率を上昇させる機器収納用ラックの給排気方法を提供することを目的とし、その構造は、機器の排気面を内側に向け配列すると共に、機器を装着するためのマウントアングルに、機器の給気口側と排気口側とを隔絶する機能を搭載して給排気を行うことを特徴とする。
【０００５】
また、機器の給気口側と排気口側とを隔絶する機能が、マウントアングルの端部を折曲延設して隔絶部を形成することである。
【発明の効果】
【０００６】
本発明に係る機器収納用ラックの給排気方法は、機器の排気面を内側に向け配列すると共に、機器を装着するためのマウントアングルに、機器の給気口側と排気口側とを隔絶する機能を搭載して給排気を行うため、機器の収納スペースを減らすことなく、効率よく給排気ができるようになり、従来温度上昇によってかかっていた機器に対する負担がなくなり、機器も長寿命となる。
【０００７】
また、機器の給気口側と排気口側とを隔絶する機能が、マウントアングルの端部を折曲延設して隔絶部を形成することであるため、機器の収納スペースを減らすことなく、効率よく給排気ができるようになり、従来温度上昇によってかかっていた機器に対する負担がなくなり、機器も長寿命となる。
【発明を実施するための最良の形態】
【０００８】
本発明に係る機器収納用ラックの給排気方法を図１〜図３の添付図面に基いて説明する。
【０００９】
機器収納用ラック１には、四隅にマウントアングル２が設けられており、マウントアングル２に通信機器や電子機器等を固定している。サーバ３等の情報通信機器は小型化されてきており、機器収納用ラック１に前後二列にサーバ３を配列できるようになってきた。サーバ３に限定はしないが、情報通信機器は前面側から給気し、背面側へ排気されることが多い。機器収納用ラック１に前後二列にサーバ３を配列する場合には、機器収納用ラック１の外側に前面給気側を向け、内側に背面排気側を向けて収納する。
【００１０】
温度の上昇は、機器に悪影響を及ぼす虞があるため給排気する必要があり、冷気を給気し、機器の温度上昇を抑えたい。できるだけ、冷気を前面給気側へ集めたいので、機器収納用ラック１の内部で空気を隔絶する。その方法とし、マウントアングル２に隔絶機能を搭載する。
【００１１】
請求項２は、隔絶機能を搭載したマウントアングル２の構造に関する。マウントアングル２は、図３に示すように、折曲加工により、機器取り付け部２ａ、機器支持部２ｂを形成している。マウントアングル２の機器支持部２ｂからさらに、隔絶部２ｃを延設する。マウントアングル２に隔絶部２ｃを設けることにより、機器収納用ラック１の内部を分割することが可能で、給気エリアＡと排気エリアＢとを分割することができる。
【００１２】
機器取り付け部２ａには、ラックマウント構造の機器が固定される。機器支持部２ｂは、機器取り付け部２ａに固定した機器が、機器自体の重量により下がったりしないように、後方で支持する部分である。隔絶部２ｃは、マウントアングル２の外側へ延設し、機器収納用ラック１の内壁まで、前面・背面Ａと中央部Ｂとを分割するように設けられる。情報通信機器は前面・背面側に給気口があり、中央部に排気口があるので、給排気を分割できる。
【００１３】
前面または背面Ａから冷気を給気し、機器内で温められた空気は機器の排気口から排出され、機器収納用ラック１の中央部Ｂに集まる。このとき、マウントアングル２の隔壁部２ｄにより、冷気と暖気は隔絶されているため混ざり合うことなく、冷気だけが機器に給気されるので、効率よく給排気が行える。
【００１４】
また、サーバ３等の情報通信機器は段積みされているが、機器収納用ラック１に搭載する台数が少ない場合、情報通信機器が取り付けられる部分が空いてしまい、情報通信機器からの排気が、情報通信機器の給気側に流れてくる。情報通信機器が搭載されない部分には、ブランクパネル４を取り付け、情報通信機器の給気側と排気側とを隔絶する。
【００１５】
マウントアングル２の隔絶部２ｃには、通線口２ｄを形成することも可能である。隔絶部２ｃは機器収納用ラック１の内壁まで延設されており、機器と電源との接続をするケーブル等は通線口２ｄを通すことで前面・背面Ａと中央部Ｂとを接続する。
【図面の簡単な説明】
【００１６】
【図１】本発明に係る機器収納用ラックの給排気構造を示す説明図である。
【図２】本発明に係る機器収納用ラックの給排気構造を示す上面断面図である。
【図３】本発明に係る機器収納用ラックのマウントアングルを示す説明図である。
【図４】従来の機器収納用ラックの給排気構造を示す上面断面図である。
【図５】従来の機器収納用ラックのマウントアングルを示す説明図である。
【符号の説明】
【００１７】
１    機器収納用ラック
２    マウントアングル
２ａ  機器取り付け部
２ｂ  機器支持部
２ｃ  隔絶部
２ｄ  通線口
３    サーバ
４    ブランクパネル
【図１】
2009176910.tif 000003
【図２】
2009176910.tif 000004
【図３】
2009176910.tif 000005
【図４】
2009176910.tif 000006
【図５】
2009176910.tif 000007